(57)【要約】【課題】  物品基材と樹脂フィルムとの間に所定の嵩高構成部品を介在させて一体化することにより、表面にｍｍ単位の範囲の凹凸を呈するようにし、成形金型を用いずに低コストで樹脂加飾物品を製造できることを目的とする。【解決手段】  この樹脂加飾物品１０は物品基材１の表面とこの表面を覆う樹脂フィルムとの間に嵩高構成部品２が挟み込まれて一体化され、樹脂フィルムの表面に嵩高構成部品に対応した少なくとも凸部が形成されている。この樹脂加飾物品を製造するには、基材表面に嵩高構成部品を貼着した物品基材１を受け治具２３に載置した後、物品基材の上方に樹脂フィルム２９を配置し、物品基材および樹脂フィルムの周囲を負圧状態にして樹脂フィルムを加熱、軟化させ、受け治具を樹脂フィルムに向けて上昇させて軟化状態の樹脂フィルムに物品基材と表面の嵩高構成部品を密着させた後、受け治具の周囲を開放し、樹脂加飾物品１０を取り出す。【選択図】  図１
2020175555.tif 000002
【特許請求の範囲】
【請求項１】
物品基材と、少なくとも前記物品基材の表面を覆う樹脂フィルムと、前記物品基材の表面と前記樹脂フィルムとの間に配置される嵩高構成部品とを有し、前記物品基材の表面に前記嵩高構成部品が配置された状態で前記物品基材の表面は前記樹脂フィルムに一体に覆われてなり、前記樹脂フィルムの表面に前記嵩高構成部品に対応した凸部が形成されていることを特徴とする樹脂加飾物品。
【請求項２】
前記物品基材の表面に嵩高構成部品が貼着され、前記嵩高構成部品を含む前記物品基材の前記表面に前記樹脂フィルムが密着した状態に一体化されていることを特徴とする請求項１に記載した樹脂加飾物品。
【請求項３】
前記物品基材の表面を覆う前記樹脂フィルムの裏面に前記嵩高構成部品が貼着され、前記嵩高構成部品が前記物品基材に接当するように前記樹脂フィルムが前記物品基材に密着した状態に一体化されていることを特徴とする請求項１に記載した樹脂加飾物品。
【請求項４】
前記樹脂フィルムはアクリル材、ポリカーボネート材、ＡＢＳ材、ＰＥＴ材、塩化ビニル材、ポリウレタン材、ポリプロピレン材の少なくともいずれかであることを特徴とする請求項１乃至３のいずれかに記載した樹脂加飾物品。
【請求項５】
前記物品基材の表面に窪み部が形成され前記樹脂フィルムの表面に前記窪み部に対応した凹部が形成されていることを特徴とする請求項１乃至４のいずれかに記載の樹脂加飾物品。
【請求項６】
基材表面に所望の嵩高構成部品を貼着した物品基材を受け治具に載置した後、前記物品基材の上方に樹脂フィルムを配置し、前記物品基材および前記樹脂フィルムの周囲を負圧状態にするとともに前記樹脂フィルムを加熱、軟化させ、前記受け治具を前記樹脂フィルムに向けて上昇させて軟化状態の前記樹脂フィルムに前記物品基材およびその表面の前記嵩高構成部品を密着させた後、前記受け治具の周囲を開放し、樹脂加飾物品を取り出すことを特徴とする物品表面の凸部加飾加工方法。
【請求項７】
軟化状態の前記樹脂フィルムに前記物品基材およびその表面の前記嵩高構成部品を密着させ、さらに前記受け治具の上方領域を加圧状態にした後、前記受け治具の周囲を開放し、樹脂加飾物品を取り出すことを特徴とする請求項６に記載した物品表面の凸部加飾加工方法。
【請求項８】
前記樹脂フィルムはアクリル材、ポリカーボネート材、ＡＢＳ材、ＰＥＴ材、塩化ビニル材、ポリウレタン材、ポリプロピレン材の少なくともいずれかであることを特徴とする請求項６または７に記載した物品表面の凸部加飾加工方法。
【発明の詳細な説明】
【技術分野】
【０００１】
本発明は樹脂加飾物品および物品表面の凸部加飾加工方法に関する。
【背景技術】
【０００２】
従来、表面部に凸部や凹部を有する樹脂物品を製造しようとした場合、樹脂成型をするための金型の内部に加工を施しておく必要があった。
【０００３】
尚、本件に関連する、技術として、樹脂材に炭素繊維を混練して補強した繊維強化プラスチックのように、繊維材と樹脂材を混練した素材を所望形状に成形した成形品は、その強度や剛性、軽量性，耐腐食性等の特性を利用して従来から各種の構造部品あるいは完成品の外殻体として使用されている。例えば特許文献１に示す樹脂成形品は炭素繊維、ガラス繊維、またはこれらの複合繊維から成る繊維基材の成形体の表面に樹脂フィルムを貼着した構造を有し、繊維質が表面に露呈することによる粗面、微細凹凸の表面を前記樹脂フィルムの貼着で緩和して美麗な外観を確保している。この樹脂成形品は、特に繊維素材を主体とする成形体の表面性状の美麗化、均一化に優れ、また表面処理の容易性、工程数の削減など、多くの利点を有している。また、各種の構造体の平坦ないし曲面の外殻部材に対して加飾処理を施工して意匠性を高めたものとして、特許文献２に記載される加飾施工品およびその製造方法が開示されている。これは、表面に異形凹凸を有する施工基材に対して所定の転写パターンによる印刷処理を施したものであって、その際に、この転写パターンに前記異形凹凸に依存して生じる柄抜け部を前記転写パターンの織り成す図柄と相まって独特の加飾模様としている。
【先行技術文献】
【特許文献】
【０００４】
【特許文献１】特開２０１７−６５２３０号公報
【特許文献２】特開平７−２７６８９８号公報
【発明の概要】
【発明が解決しようとする課題】
【０００５】
樹脂成形品などの構造物の表面に加飾処理としてシボ加工、レーザ加工、フィルム処理を施す場合、従来は成形金型による手段で行っており、その凹凸付加も加飾としては数μｍ〜数１００μｍの凹凸となるのが普通である。金型による成形手段は一般に大量生産を見込んだものであり、小ロット多品種のものに対しては高コストとなってしまうという問題があった。
【０００６】
特許文献１の樹脂成形品は繊維材による表面の微細な凹凸や粗面を樹脂フィルムの溶着、被覆により滑らかな表面性状を得ようとするものであり、凹凸付加による加飾を意図したものではない。また、特許文献２のものは、異形少なくとも凸部を形成した物品に、加飾手段として液圧転写を施し、転写パターンとの間で異形凹凸物品周辺において生じる転写パターンの柄抜けを新たな加飾表現としたものであり、加飾の形態としては限定されたものである。また、液圧転写手段を用いることによりコスト高となっている。
【０００７】
本発明は、物品基材と樹脂フィルムとの間に所定の嵩高構成部品を介在させて一体化することにより、あたかも樹脂の表面に一体的な凹凸加飾が施されたかのような外観を呈するようにした樹脂加飾物品およびその製造方法を提供することを目的とする。
【０００８】
本発明はまた、成形金型による凹凸加飾処理ではなく、所望形状の嵩高構成部品で斬新な凹凸表現を実現し、かつ、樹脂フィルムの被覆処理により一体化を可能とし、１個からの小ロット多品種の場合にあっても低コストで製造できる樹脂加飾物品およびその製造方法すなわち物品表面の凸部加飾加工方法を提供することを目的とする。
【課題を解決するための手段】
【０００９】
本発明による樹脂加飾物品は、物品基材と、少なくとも前記物品基材の表面を覆う樹脂フィルムと、前記物品基材の表面と前記樹脂フィルムとの間に配置される嵩高構成部品とを有し、前記物品基材の表面に前記嵩高構成部品が配置された状態で前記物品基材の表面は前記樹脂フィルムに一体に覆われてなり、前記樹脂フィルムの表面に前記嵩高構成部品に対応した凸部が形成されていることを特徴とする。
【００１０】
本発明の他の形態によれば、前記物品基材の表面に嵩高構成部品が貼着され、前記嵩高構成部品を含む前記物品基材の前記表面に前記樹脂フィルムが密着した状態に一体化されていることを特徴とする。
【００１１】
また、前記物品基材の表面を覆う前記樹脂フィルムの裏面に前記嵩高構成部品が貼着され、前記嵩高構成部品が前記物品基材に接当するように前記樹脂フィルムが前記物品基材に密着した状態に一体化されていることを特徴とする。
【００１２】
また、前記樹脂フィルムはアクリル材、ポリカーボネート材、ＡＢＳ材、ＰＥＴ材、塩化ビニル材、ポリウレタン材、ポリプロピレン材の少なくともいずれかであることを特徴とする。
【００１３】
また、前記物品基材の表面に窪み部が形成され前記樹脂フィルムの表面に前記窪み部に対応した凹部が形成されていることを特徴とする。
【００１４】
本発明の物品表面の凸部加飾加工方法は、基材表面に所望の嵩高構成部品を貼着した物品基材を受け治具に載置した後、前記物品基材の上方に樹脂フィルムを配置し、前記物品基材および前記樹脂フィルムの周囲を負圧状態にするとともに前記樹脂フィルムを加熱、軟化させ、前記受け治具を前記樹脂フィルムに向けて上昇させて軟化状態の前記樹脂フィルムに前記物品基材およびその表面の前記嵩高構成部品を密着させた後、前記受け治具の周囲を開放し、樹脂加飾物品を取り出すことを特徴とする。
【００１５】
本発明の他の形態によれば、軟化状態の前記樹脂フィルムに前記物品基材およびその表面の前記嵩高構成部品を密着させ、さらに前記受け治具の上方領域を加圧状態にした後、前記受け治具の周囲を開放し、樹脂加飾物品を取り出すことを特徴とする。
【００１６】
また、前記樹脂フィルムはアクリル材、ポリカーボネート材、ＡＢＳ材、ＰＥＴ材、塩化ビニル材、ポリウレタン材、ポリプロピレン材の少なくともいずれかであることを特徴とする。
【発明の効果】
【００１７】
本発明に係る樹脂加飾物品は、物品基材と樹脂フィルムとの間に所定の嵩高構成部品を介在させて一体化することにより凸部を有する加飾外観が得られる。
【図面の簡単な説明】
【００１８】
【図１】本発明の実施例に係る樹脂加飾物品の概略的な拡大断面図である。
【図２】本発明の他の実施例に係る樹脂加飾物品の概略的な拡大断面図である。
【図３】本発明の実施例に係る樹脂加飾物品を模式的に形成順に分解して示した斜視図である。
【図４】本発明の実施例に係る樹脂加飾物品の製造装置の縦断面図である。
【図５】本発明の実施例に係る樹脂加飾物品の製造工程の前段部分を示す概略図である。
【図６】図５に示す樹脂加飾物品の製造工程の後段部分を示す概略図である。
【図７】本発明に係る樹脂加飾物品の実施例を示す額縁の正面図である。
【図８】本発明に係る樹脂加飾物品の他の実施例を示す看板の構成斜視図である。
【図９】本発明に係る樹脂加飾物品の他の実施例を示す看板の構成斜視図である。
【図１０】本発明に係る樹脂加飾物品の他の実施例を示す看板の斜視図である。
【図１１】本発明に係る樹脂加飾物品の他の実施例を示す看板の斜視図である。
【発明を実施するための形態】
【００１９】
次に、本発明を実施例について図面を参照して説明する。
図１の実施例に示す樹脂加飾物品１０は、物品基材１の平板上面１ａに所望の厚みのある嵩高構成部品２が配置され、さらに嵩高構成部品２を含む物品基材１の表面全体に樹脂フィルム５が密着、より詳細には後述するように真空及び熱着手段により密着されぴったりと嵩高構成部品２を覆う。これによってフィルム上面に嵩高構成部品２の配置に対応した凸部８からなる加飾形状が現れてなる樹脂加飾物品１０となっている。
【００２０】
ここで物品基材１は、表面に加飾を施そうとする対象物品であり、各種の樹脂材、炭素繊維やガラス繊維等から成る繊維基材を樹脂結合剤で混合成形した複合材、天然木あるいは合板などの加工木材、金属部材、その他各種部材が挙げられる。尚、物品基材を複合繊維の繊維基材を結合剤に混合成形した複合体とした場合には前記結合剤としてはＡＢＳ、ポリカーボネート、アクリル等が採用可能であるが、これらに限定されず繊維基材の混合成形に可能なものであればよい。
【００２１】
嵩高構成部品２は、加飾したい凸部８に対応する体積と形状をもつ部品で構成され、樹脂成形、金属板のプレス抜き加工、レーザ加工、３Ｄプリンター等で製作した体積をもつ部材が採用される。形状としては、円盤状の部品のほか、多角形状の部品、キャラクターの形状を模した部品、その他任意の形状の部品が用いられる。その加飾形態も同一形状の嵩高構成部品２を複数個配列したり、異なる形状の嵩高構成部品２を複数個組み合せて配置するなど任意の形態にできる。物品基材１の表面において凸状の嵩高構成部品２のずれを生じないように、嵩高構成部品２は物品基材１表面にあらかじめ接着剤、糊等の接着材３で固定することが望ましい。尚、物品基材を樹脂材とした場合、その表面に密着される嵩高構成部品２の接着材３としては、アクリル系接着材が好適である。
【００２２】
次に、嵩高構成部品２を配置した物品基材１の表面に密着される樹脂フィルム５について説明する。樹脂フィルム５の実施例としては、アクリル材、ＰＣ材、ＡＢＳ材のほか、ＰＥＴ材、塩化ビニル材、ポリウレタン材、ポリプロピレン材等の合成樹脂フィルムが挙げられる。例えば樹脂フィルム５としてアクリル材を用いることにより、耐候性、耐紫外線性がよく、またＰＣ材、ＡＢＳ材のフィルムとすれば、成形性がよく量産も可能である。これらは対象物品の用途に対して適宜選択される。接着層を含む樹脂フィルムの厚みｔは０．１〜０．５ｍｍが適切であるが、これも嵩高構成部品２の大きさや高さ、対象物品の使用用途によって任意に定められる。またフィルムの色も透明、不透明、半透明のもの、色素を混合してなる有色のものなど対象物品に応じて任意に定められ得る。尚、樹脂フィルム５の密着性を高めるために裏面（物品基材１及び嵩高構成部品２との接着面）にあらかじめ接着剤４を塗布しておいてもよい。
【００２３】
これにより、図１に示すように外観はあたかも一体的に形成されたかのような凸部８とこれにより相対的に形成される凹部７からなる加飾表面が形成されてなる樹脂加飾物品１０が提供される。この凸部８凹部７の凹凸量は０．５〜３．０ｍｍｍ程度となり、視認できる加飾が施される。
【００２４】
図２，３には図１に示す実施例の変形例を示す。図２，３に示す樹脂加飾物品１０は、物品基材１の表面にあらかじめ窪み部６を形成し、これに樹脂フィルム５を密着されている。尚、図２，３に図示するように、物品基材１の表面には、嵩高構成部品２を配置してもよく、凸部８、凸部８を形成することにより相対的に形成される凹部７、及び更に窪み形成された窪み部による加飾を行うことができる。これによって表面全体として凹凸加飾表面が形成される。
【００２５】
尚、図３はこれらの実施例に係る樹脂加飾物品を模式的に分解して示した図である。まず図３の（ａ）に示すように、凹凸加飾を施す対象物品である物品基材１に対し所望の厚み、外形形状の嵩高構成部品２を必要個数製作するとともに基材表面にも所望深さの凹形状の加飾窪み部６が形成されている。これらの嵩高構成部品２は、例えば素子材料のプレス抜き加工、レーザ切断加工、３Ｄプリンター等により製作され、厚みｄは高々０．５〜３．０ｍｍｍ程度の形状に加工されるが、得ようとする加飾模様に応じて任意に選定される。加飾窪み部６の形成も工具による手作業、ミーリング加工、レーザ加工、３Ｄプリンタによる加工、エッチング等、直接物品基材に施すことで得られる。次に図３（ｂ）に示す如く、上述した種々形状の嵩高構成部品２を所望の配列形態で上述の物品基材１の表面１ａに接着材３によって貼着する。この状態から、さらにその上面に樹脂フィルム５を接着材を介して貼着、一体化することでフィルム表面に凹凸状の加飾模様が露呈した樹脂加飾物品１０が得られる。
【００２６】
上述の実施例では、物品基材の上面に凸状の嵩高構成部品２を配置してその上面を樹脂フィルムで覆うことにより、フィルム表面に凹凸状の加飾模様を露呈させた例であるが、他の実施例では樹脂フィルムの裏面、つまり物品基材に対面する側のフィルム裏面に嵩高構成部品２を貼着し、この状態で物品基材の上面を前記樹脂フィルムで覆い、一体化することで樹脂加飾物品を得るようにしてもよい。この場合、樹脂フィルム自体に予め所望の模様や図案、キャラクター等を下絵として描いておき、嵩高構成部品をこの下絵に沿うようにフィルム裏面に配置して貼着しておき、この状態で前記フィルム裏面を物品基材に被せて貼着、一体化することにより、前記フィルムの表面にキャラター等の下絵が浮き上がった形態の加飾模様が表現できる。予め樹脂フィルム側に嵩高構成部品を貼着しておくため、物品基材１に対する樹脂フィルム５と嵩高構成部品２の位置合せも正確かつ容易になされ得る。
【００２７】
本発明においては、従来のように物品基材自体を成形金型を用いて加飾成形する形態ではないため、シボ加工、レーザ加工を用いてフィルムによるμｍ単位の凸の表面処理をする場合に比べて、ｍｍ単位の、例えば０．５〜３．０ｍｍ程度の凸加飾処理が可能となり、あたかも一体的な樹脂成型を行ったかのような加飾処理が行われる。しかも金型を使用しないので、１個からの少量生産でも安価かつ容易に製作可能である。また、凸部の高さは０．５〜３．０ｍｍに限られず数センチメートルの嵩高構成部品２を配置することも可能である。例えば、文房具、家電、便座の蓋等の物品基材１の表面に数ｍｍの嵩高構成部品２を配置することで、数ｍｍのエンボス加工が施されたかのような加飾を行うことができる。尚、他の応用例としては、を物品基材１としての台所用品、家具等に数ｃｍの摘みや取っての形状の嵩高構成部品２を配置すれば本体と分離されることのない摘みや取っての機能を凸部に持たせることができる。さらに高さのある嵩高構成部品２を物品基材１としてのパーテーションに配置すれば壁面と一体形成される物置棚の機能を凸部に持たせることもできる。
【００２８】
次に、本発明に係る樹脂成形品の製造装置および製造方法を、図４〜図６を参照して説明する。図４を参照すれば、本実施例に係る樹脂成形品の製造装置２０は、上下に分離可能な下チャンバーボックス２１と上チャンバーボックス２２とを有する。下チャンバーボックス２１内には、前述した上面に凸状の嵩高構成部品を貼着した物品基材１（仮想線で示す）を載置する受け治具２３が上下動可能に配置されている。具体的には下チャンバーボックス２１の下側に上下動駆動装置２４が設けられ、この駆動装置２４の作動ロッド２４ａが下チャンバーボックス２１内に挿入され、受け治具２３の支持テーブル２５が作動ロッド２４ａに連結されている。
【００２９】
下チャンバーボックス２１には真空吸引する装置、例えば真空タンク２６が連結されている。真空タンク２６は切換弁２７を介して上チャンバーボックス２２にも連通するようになっている。また、下チャンバーボックス２１の上端にはフィルム保持枠２８が設けられ、この保持枠２８に図１〜図３で説明した樹脂フィルム（透明フィルム）、接着層、加飾層などから成る樹脂フィルム２９が交換可能に取り付けられており、樹脂フィルム２９を下チャンバーボックス２１の上端開口部に装着された状態では該ボックス内は密閉状態に保持される。
【００３０】
下チャンバーボックス２１に対して上昇、下降する上チャンバーボックス２２内には、その上部部位にヒータ３０が配置されている。上チャンバーボックス２２の上方位置に上下動駆動装置３１が設けられ、その作動ロッド３１ａが上チャンバーボックス２２の上面に連結されている。また、上チャンバーボックス２２には該チャンバーボックス内を加圧状態にするための加圧装置、例えば圧空タンク３２が切換弁２７を介して連結されている。上チャンバーボックス２２を下降させて樹脂フィルム２９を装着した下チャンバーボックス２１に接合させた状態では、上下チャンバーボックス２２，２１内は密閉状態に保持される。
【００３１】
上述の構成になる樹脂加飾物品の製造装置によって本発明に係る樹脂加飾物品１を製造する方法を図５、図６を参照して説明する。まず、図５（ａ）に示すように、駆動装置３１によって上チャンバーボックス２２を上昇させて下チャンバーボックス２１内の受け治具２３上に対象製品の物品基材１を載置するとともに、下チャンバーボックス上端の樹脂フィルムの保持枠２８に所望の樹脂フィルム２９をセットする。この状態で下チャンバーボックス２１内は密閉状態となっている。
【００３２】
樹脂フィルム２９としては、図１〜図３で説明したような、基材物品１表面に密着される樹脂フィルム５のような樹脂フィルムがが対象製品の種類、用途などに応じて選定される。なお、樹脂フィルム２９はその接着層が下向き、つまり受け治具２３上の物品基材１に対峙する向きに保持枠２８にセットされる。
【００３３】
次に、図５（ｂ）に示すように、上チャンバーボックス２２を駆動装置３１によって下降させて下チャンバーボックス２１に接合させるとともに、図５（ｃ）に示すように切換弁２７を操作して真空吸引装置（真空タンク２６）により上下チャンバーボックス２２，２１内を真空吸引して負圧状態にする。また同時にヒータ３０を付勢してボックス内の樹脂フィルム２９を加熱し、表皮フィルムを軟化させる。図５（ｃ）で樹脂フィルム２９が若干受け治具２３側へ垂れ下がっているのは、このヒータ３０の加熱で表皮フィルムが軟化していることを示したものである。
次に、図５（ｄ）に示すように、受け治具２３を駆動装置２４によって上昇させて受け治具２３上の物品基材１を、軟化した樹脂フィルム２９に押し付け、樹脂フィルム２９を物品基材１に貼着させる。
【００３４】
この後、上チャンバーボックス２２内のヒータ３０を働かせた状態で上チャンバーボックス２２内を負圧状態から大気開放あるいは空圧状態にして成形体表面への樹脂フィルム２９の貼着をさらに促進させる。図５（ｅ）は上チャンバーボックス２２内を大気開放させた場合、図５（ｆ）は空圧装置および圧空タンク３２によって上チャンバーボックス２２内を空圧状態にした場合であり、製造工程としてはそのどちらが採用されてもよいが、対象製品によってより強いフィルム貼着を必要とする場合は図５（ｆ）の空圧付加形態が採用される。
【００３５】
この後は、図６（ａ）に示すように空圧および真空吸引を解除するとともに上チャンバーボックス２２を上昇させて受け治具２３から表皮フィルム２９が貼着されて凹凸状の嵩高構成部品と一体化された状態の加飾物品を取り出す。この状態では樹脂フィルム２９の周縁部が物品基材１から若干はみ出しているので、図６（ｂ）に示すように物品基材１からはみ出した樹脂フィルム２９の部分をカッター３３で切断するトリミング加工を行って樹脂加飾物品１０を完成させる。なお、物品基材からの樹脂フィルムのはみ出しがないような場合は、図６（ｂ）のトリミング加工は省略してもよいことは勿論である。
【００３６】
図７は本発明の他の実施例に係る樹脂加飾物品を小形の額縁（ミニチュアフレーム）として構成した例である。額縁４１の前面４１ａに種々形状の凸部からなる加飾部４２が貼着され、さらにその前面が透明樹脂フィルムで被覆されている。
【００３７】
次に、図８乃至図１１により本発明の他の実施例に係る看板を例に樹脂フィルム側にも文字や図形を施した例を説明する。図８乃至図９に示す樹脂加飾物品としての看板５０は、板状の物品基材５１の表面に、表示したい文字の形状（図示ＡＢＣ）からなる嵩高構成部品５２ａ〜ｃを配置し、表示したい文字形状５４を縁取り印刷した樹脂フィルム５３を、この物品基材５１の表面に真空・密着させ、図９に示すように表示したい文字の形状（図示ＡＢＣ）が凸部５８として浮き出した看板を形成することができる。また、図１０乃至図１１に示すように、表示したい文字形状６４を所望の色でべた塗り印刷した樹脂フィルム６３を、この物品基材５１の表面に真空・密着させることで樹脂フィルム５の加飾と組み合わせて浮き出した看板を形成することができる。車両の内装品、例えば運転席前面のダッシュボード、ハンドル部分などにも適用可能である。
【００３８】
このように本実施例による樹脂加飾物品及び物品表面の凸部加飾加工方法によれば金型を用いた量産成形品ではなく、１個あるいは少数個であっても低コストで、樹脂成形品の表面に所望の形状、高さの加飾を施して成る樹脂加飾物品を提供することができる。
【符号の説明】
【００３９】
１  物品基材
２  嵩高構成部品
３  接着材
４  接着材
５  樹脂フィルム
６  窪み部
７  凹部
８  凸部
１０  樹脂加飾物品
２０  樹脂加飾物品の製造装置
２１  下チャンバーボックス
２２  上チャンバーボックス
２３  受け治具
２４，３１  上下動駆動装置
２６  真空タンク
２７  切換弁
２８  保持枠
２９  樹脂フィルム
３０  ヒータ
３２  圧空タンク
３３  カッター
４１  額縁
４２  凸状加飾部
５０  樹脂加飾物品
５１  物品基材
５２  嵩高構成部品
５３  樹脂フィルム
５４  文字形状（印刷）
５８  凸部
６１  物品基材
６３  樹脂フィルム
６４  文字形状（印刷）
【図１】
2020175555.tif 000003
【図２】
2020175555.tif 000004
【図３】
2020175555.tif 000005
【図４】
2020175555.tif 000006
【図５】
2020175555.tif 000007
【図６】
2020175555.tif 000008
【図７】
2020175555.tif 000009
【図８】
2020175555.tif 000010
【図９】
2020175555.tif 000011
【図１０】
2020175555.tif 000012
【図１１】
2020175555.tif 000013